(57)【要約】【課題】振動や衝撃によって裏蓋が簡単に開放してフィルムが露光されてしまうことが生ぜず、裏蓋がカメラ本体に対して確実にロックされるカメラ。【解決手段】第１係合手段は、側壁と直交する方向に突出していて、その頂部より裏蓋の方向に傾斜した第１傾斜面と、該頂部より第１係合手段の移動方向に傾斜した第２傾斜面とを有し、裏蓋を閉鎖するときは、第２係合手段が第１傾斜面に当接しながら頂部を乗り越えて第１係合手段と係合し、裏蓋を開放するときは、外部操作により第１係合手段を移動させることより第２傾斜面によって第２係合手段が押圧されて頂部の上に移動し、第１係合手段と第２係合手段との係合が解除されること。【選択図】        図２
2004226606.tif 000002
【特許請求の範囲】
【請求項１】
撮影機構を有するカメラ本体に対してフィルムを装脱すべく開閉する裏蓋を備え、
前記カメラ本体若しくは前記裏蓋の一方に、外部操作によって前記裏蓋の開閉方向と直交し且つ前記カメラ本体若しくは前記裏蓋の側壁と平行な方向に移動する第１係合手段を設けると共に、これらの他方に該第１係合手段と係合する第２係合手段を設けたカメラにおいて、
前記第１係合手段は、前記側壁と直交する方向に突出していて、その頂部より前記裏蓋の方向に傾斜した第１傾斜面と、該頂部より前記第１係合手段の移動方向に傾斜した第２傾斜面とを有し、
前記裏蓋を閉鎖するときは、前記第２係合手段が前記第１傾斜面に当接しながら前記頂部を乗り越えて前記第１係合手段と係合し、
前記裏蓋を開放するときは、外部操作により前記第１係合手段を移動させることより前記第２傾斜面によって前記第２係合手段が押圧されて前記頂部の上に移動し、前記第１係合手段と前記第２係合手段との係合が解除されることを特徴とするカメラ。
【請求項２】
前記第２係合手段は、前記第１係合手段と係合する孔若しくは切り欠きを有することを特徴とする請求項１に記載のカメラ。
【請求項３】
前記第２係合手段は、前記側壁と直交する方向への可撓性を有することを特徴とする請求項１又は請求項２に記載のカメラ。
【請求項４】
外部操作によって移動した前記第１係合手段を原位置に復帰させる付勢部材を備えたことを特徴とする請求項１〜３の何れか１項に記載のカメラ。
【請求項５】
撮影機構を有するカメラ本体に対してフィルムを装脱すべく開閉する裏蓋を備え、
前記カメラ本体若しくは前記裏蓋の一方に側壁より突出した第１係合手段を設けると共に、これらの他方に該第１係合手段と係合する第２係合手段を設けたカメラにおいて、
先端部が所定の停止部材に当接可能であり且つ該停止部材への当接を回避すべく曲撓する操作部と、前記第２係合手段による前記第１係合手段への係合を解除させる方向に前記第２係合手段を移動させる解除部とを有して前記裏蓋の方向に移動可能な係合解除手段を備え、
前記係合解除手段の操作部を操作して曲撓し前記先端部の前記停止部材への当接を回避した後、前記係合解除手段を前記裏蓋の方向に移動させ、前記解除部により前記第２係合手段による前記第１係合手段への係合を解除させることを特徴とするカメラ。
【請求項６】
前記停止部材が前記第２係合手段の先端部であることを特徴とする請求項５に記載のカメラ。
【請求項７】
前記第２係合手段は、前記第１係合手段と係合する孔若しくは切り欠きを有することを特徴とする請求項５又は請求項６に記載のカメラ。
【請求項８】
前記第２係合手段は、前記側壁と直交する方向への可撓性を有することを特徴とする請求項５〜７の何れか１項に記載のカメラ。
【請求項９】
前記第２係合手段の先端部を前記側壁と直交する方向に移動させる傾斜面を前記解除部に設けたことを特徴とする請求項５〜８の何れか１項に記載のカメラ。
【請求項１０】
外部操作によって移動した前記係合解除手段を原位置に復帰させる付勢部材を備えたことを特徴とする請求項５〜９の何れか１項に記載のカメラ。
【発明の詳細な説明】
【０００１】
【発明の属する技術分野】
本発明は、撮影機構を有するカメラ本体にフィルムを装填したとき、裏蓋を確実にロックできる裏蓋ロック機構を備えたカメラに関する。
【０００２】
【従来の技術】
カメラにフィルムを装填したり、カメラからフィルムを取り出したりするときは、カメラ本体に対して裏蓋を開閉する。裏蓋を閉鎖するときは裏蓋を押圧すれば自動的にロックされ、裏蓋を開放するときは外部操作によってロックを解除するのが一般的である。
【０００３】
このような裏蓋のロック機構の一例として、カメラの上下方向に移動可能で且つバネの掛かった板状部材に第１のロック爪を設けると共に、第１のロック爪と係合する第２のロック爪を裏蓋に設け、外部操作によって板状部材をバネ圧に抗して移動させて第１のロック爪と第２のロック爪との係合を解除する機構が下記の特許文献１、特許文献２に記載されている。
【０００４】
【特許文献１】
特開平７−２８１２６１号公報
【０００５】
【特許文献２】
特開平７−１１４０７８号公報
【０００６】
【発明が解決しようとする課題】
しかしながら、上記の特許文献１及び特許文献２に記載の裏蓋ロック機構は、振動や衝撃によって裏蓋が不用意に開放する恐れがあり、裏蓋が開放するとフィルムが露光してしまうとういう重大事故となる。また、部品点数が多く、且つ組立工数が大きいといった問題もある。
【０００７】
本発明はかかる問題に鑑みてなされたものであり、振動や衝撃によって裏蓋が簡単に開放してフィルムが露光されてしまうといったことが生ぜず、裏蓋がカメラ本体に対して確実にロックされるカメラを安価に提供することを目的とする。
【０００８】
【課題を解決するための手段】
上記目的は下記の何れかの手段により達成される。
【０００９】
▲１▼撮影機構を有するカメラ本体に対してフィルムを装脱すべく開閉する裏蓋を備え、前記カメラ本体若しくは前記裏蓋の一方に、外部操作によって前記裏蓋の開閉方向と直交し且つ前記カメラ本体若しくは前記裏蓋の側壁と平行な方向に移動する第１係合手段を設けると共に、これらの他方に該第１係合手段と係合する第２係合手段を設けたカメラにおいて、前記第１係合手段は、前記側壁と直交する方向に突出していて、その頂部より前記裏蓋の方向に傾斜した第１傾斜面と、該頂部より前記第１係合手段の移動方向に傾斜した第２傾斜面とを有し、前記裏蓋を閉鎖するときは、前記第２係合手段が前記第１傾斜面に当接しながら前記頂部を乗り越えて前記第１係合手段と係合し、前記裏蓋を開放するときは、外部操作により前記第１係合手段を移動させることより前記第２傾斜面によって前記第２係合手段が押圧されて前記頂部の上に移動し、前記第１係合手段と前記第２係合手段との係合が解除されることを特徴とするカメラ。
【００１０】
▲２▼撮影機構を有するカメラ本体に対してフィルムを装脱すべく開閉する裏蓋を備え、前記カメラ本体若しくは前記裏蓋の一方に側壁より突出した第１係合手段を設けると共に、これらの他方に該第１係合手段と係合する第２係合手段を設けたカメラにおいて、先端部が所定の停止部材に当接可能であり且つ該停止部材への当接を回避すべく曲撓する操作部と、前記第２係合手段による前記第１係合手段への係合を解除させる方向に前記第２係合手段を移動させる解除部とを有して前記裏蓋の方向に移動可能な係合解除手段を備え、前記係合解除手段の操作部を操作して曲撓し前記先端部の前記停止部材への当接を回避した後、前記係合解除手段を前記裏蓋の方向に移動させ、前記解除部により前記第２係合手段による前記第１係合手段への係合を解除させることを特徴とするカメラ。
【００１１】
【発明の実施の形態】
本発明のカメラに関する二つの実施の形態を図を参照して詳細に説明する。
【００１２】
［第１の実施の形態］
第１の実施の形態を図１乃至図７を参照して説明する。
【００１３】
図１は後方から見たカメラの斜視図、図２は裏蓋係合機構の斜視図、図３は係合部に係合孔を係合させる前の正面図、図４は係合部に係合孔を係合さたときの正面図、図５は係合部に係合孔を係合させる過程を示す横断面図、図６は係合部と係合孔との係合を解除させるときの正面図、図７は係合部と係合孔との係合を解除する過程を示す縦断面図である。
【００１４】
先ず、図１において、１１は各種の撮影機構を備えたカメラ本体であり、１２はカメラ本体１１に装填したフィルムを光密に保持する裏蓋である。裏蓋１２は図示していないが右部に蝶番を有して回動可能であり、フィルムを装填したり取り出したりするときに、カメラ本体１１に対して裏蓋１２を開閉する。本実施の形態においては、裏蓋１２を閉鎖するときは、裏蓋１２の背面を押圧すれば裏蓋１２はカメラ本体１１に対して自動的にロックされ、裏蓋１２を開放するときは、カメラ本体１１の側面から突出している操作つまみ２１ａを矢印で示した方向に摺動操作すればロックが解除される。
【００１５】
図２において、２１は操作つまみ２１ａを突出させた移動係合部材であり、移動係合部材２１に設けた二つの長孔２１ｂがカメラ本体１１の内部側壁から突出した二つの案内部１１ａに係合することによって、移動係合部材２１は操作つまみ２１ａの操作によって矢印方向（裏蓋１２の開閉方向と直交し、且つ前記内部側壁と平行な方向）に摺動する。また、移動係合部材２１は樹脂成型されており、移動係合部材２１の端部にはジグザグに曲折した付勢部２１ｃが一体に形成されていて、付勢部２１ｃの端部がカメラ本体１１の内部側壁から突出した停止部１１ｂに当接している。従って、操作つまみ２１ａを操作して移動係合部材２１を矢印方向に摺動させると、付勢部２１ｃは曲折して付勢され、操作つまみ２１ａから手を離すと、付勢部２１ｃの付勢力によって移動係合部材２１は原位置に復帰する。
【００１６】
なお、付勢部材２１ｃは移動係合部材２１と一体でなくてもよく、別個に設けた引っ張り用若しくは圧縮用のつる巻きバネやねじりコイルバネであってもよい。
【００１７】
また、移動係合部材２１は略三角錐の如く突出した係合部２１ｄ（第１係合手段）を有し、裏蓋１２より係合部２１ｄに向かって突出した裏蓋係合部材２２（第２係合手段）に設けた係合孔２２ａが係合部２１ｄに係合する。
【００１８】
ここで、カメラ本体１１より裏蓋１２が開放しているときは、図３に示す状態であって、移動係合部材２１の係合部２１ｄより裏蓋係合部材２２の係合孔２２ａは離間している。
【００１９】
次に、カメラ本体１１に対して裏蓋１２を閉鎖するときは、裏蓋１２の背面を押圧すると、裏蓋係合部材２２は移動係合部材２１に接近し、遂に係合孔２２ａが係合部２１ｄに係合する。この状態を図４に示す。
【００２０】
この係合過程において、裏蓋係合部材２２の先端部２２ｂが係合部２１ｄに設けた第１傾斜面２１ｄ１に当接した後、裏蓋係合部材２２が曲撓して、図５（Ａ）に示す状態になる。そして、裏蓋係合部材２２の係合孔２２ａが係合部２１ｄの頂部２１ｄ２の上に位置すると、図５（Ｂ）の如く、曲撓した裏蓋係合部材２２の復元力によって係合孔２２ａは係合部２１ｄに係合する。これにより、裏蓋１２はカメラ本体１１にロックされ、図示していないフィルムを光密に保持することができる。
【００２１】
なお、裏蓋係合部材２２は裏蓋１２と一体に樹脂成型されているので、裏蓋係合部材２２は素材の樹脂により可撓性を有している。しかし、裏蓋係合部材２２を裏蓋１２とは別部材にして弾性を有する金属板で形成してもよい。更に、裏蓋係合部材２２にバネを設けて裏蓋係合部材２２を裏蓋１２に対して回動可能とし、図５（Ａ）の如き状態にするときは、該バネの弾性に抗して裏蓋係合部材２２が回動し、図５（Ｂ）の如き状態にするときは、該バネの弾性によって原位置に復帰するようにしてもよい。
【００２２】
このようにカメラ本体１１にロックされた裏蓋１２を開放するときは、図６の如く、操作つまみ２１ａを操作して付勢部２１ｃの付勢力に抗して移動係合部材２１を矢印方向に摺動させる。すると、図７（Ａ）の如く移動係合部材２１の摺動に伴って係合部２１ｄに設けた第２傾斜面２１ｄ３が裏蓋係合部材２２の係合孔２２ａの端部２２ａ１を押圧する。これにより、裏蓋係合部材２２が曲撓して図５（Ａ）の状態になり、図７（Ｂ）の如く端部２２ａ１が頂部２１ｄ２の上に移動する。この結果、係合部２１ｄと係合孔２２ａの係合が解除された状態になったので、裏蓋１２の内部にある図示していない圧板等の反力によって裏蓋１２はカメラ本体１１より自動的に開放する。なお、裏蓋１２の内部に裏蓋１２をカメラ本体１１より開放させる力を全く有していない場合は、裏蓋１２を開放方向に軽く引き出してやればよい。
【００２３】
裏蓋１２がカメラ本体１１より開放した後は、操作つまみ２１ａから手を離せば、移動係合部材２１は付勢部２１ｃの付勢力によって原位置に復帰する。
【００２４】
なお、裏蓋係合部材２２の係合孔２２ａは、上記の機能を達成するならば必ずしも図の如く矩形の孔である必要はなく、また、貫通孔でなくてもよい。
【００２５】
更に、裏蓋係合部材２２の係合孔２２ａは必ずしも四方が囲まれた孔である必要はなく、図３の下方側、即ち移動係合部材２１の摺動操作方向とは逆の側が開放された切り欠きであってもよい。
【００２６】
その他に上述とは全て逆にして、移動係合部材２１を裏蓋１２に配置すると共に裏蓋係合部材２２をカメラ本体１１に配置する構成にして、裏蓋１２において操作つまみ２１ａを操作するようにしてもよい。
【００２７】
以上の構成により、操作つまみ２１ａを摺動操作して裏蓋１２を開放するときに、裏蓋係合部材２２の係合孔２２ａが係止部２１ｄの頂部２１ｄ２の上に移動しないと裏蓋１２が開放しないので、振動や衝撃によって裏蓋１２が簡単に開放してフィルムが露光されてしまうといったことが生ぜず、裏蓋１２がカメラ本体１１に対して確実にロックされる。
【００２８】
［第２の実施の形態］
第２の実施の形態を図８乃至図１２を参照して説明する。
【００２９】
図８は後方から見たカメラの斜視図、図９は係合部に係合孔を係合させる過程を示す横断面図、図１０は係合部に係合孔を係合させたときの正面図、図１１は係合解除部材の斜視図、図１２は係合解除部材により係合を解除する過程を示す横断面図である。
【００３０】
先ず、図１において、４１は各種の撮影機構を備えたカメラ本体であり、４２はカメラ本体４１に装填したフィルムを光密に保持する裏蓋である。裏蓋４２は図示していないが右部に蝶番を有して回動可能であり、フィルムを装填したり取り出したりするときに、カメラ本体４１に対して裏蓋４２を開閉する。本実施の形態においては、裏蓋４２を閉鎖するときは、裏蓋４２の背面を押圧すれば裏蓋４２はカメラ本体４１に対して自動的にロックされ、裏蓋４２を開放するときは、カメラ本体４１の側面から突出している操作つまみ５３ｆを矢印方向に摺動操作すればロックが解除される。
【００３１】
図９において、５１はカメラ本体４１の内部側壁から突出した係合部（第１係合手段）であり、５２は裏蓋４２より係合部５１に向かって突出した裏蓋係合部材（第２係合手段）である。裏蓋４２の背面を押圧してカメラ本体４１に対して裏蓋４２を閉鎖すると、裏蓋係合部材５２に設けた係合孔５２ａが係合部５１に係合する。
【００３２】
この係合過程を図９（Ａ）乃至図９（Ｃ）に基づいて説明する。裏蓋４２の背面を押圧して図９（Ａ）の状態から裏蓋係合部材５２を係合部５１に向けて接近させると、裏蓋係合部材５２の先端に設けた傾斜面５２ｂが、係合部５１の裏蓋４２の側に設けた傾斜面５１ａに当接する。更に、裏蓋４２の背面を押圧すると、裏蓋係合部材５２が湾曲して、図９（Ｂ）の如く係合孔５２ａが係合部５１の頂部５１ｂの上に乗り上げた後、図９（Ｃ）及び図１０の如く湾曲した裏蓋係合部材５２の復元力によって係合孔５２ａは係合部５１に係合する。これにより、裏蓋４２はカメラ本体４１にロックされ、図示していないフィルムを光密に保持することができる。
【００３３】
なお、裏蓋係合部材５２は裏蓋４２と一体に樹脂成型されているので、裏蓋係合部材５２は素材の樹脂により可撓性を有している。しかし、裏蓋係合部材５２を裏蓋４２とは別部材にして弾性を有する金属板で形成してもよい。更に、裏蓋係合部材５２にバネを設けて裏蓋係合部材５２を裏蓋４２に対して回動可能とし、図９（Ｂ）の如き状態にするときは、該バネの弾性に抗して裏蓋係合部材５２が回動し、図９（Ｃ）の如き状態にするときは、該バネの弾性によって原位置に復帰するようにしてもよい。
【００３４】
このようにカメラ本体４１にロックされた裏蓋４２を開放するときは、図１０及び図１１に明示した係合解除部材５３（係合解除手段）により係合孔５２ａと係合部５１との係合を解除する。
【００３５】
ここで、係合解除部材５３は図１０に示す如くカメラ本体４１の内部側壁より突出した４個の案内部４１ａによって案内されて矢印方向、即ち裏蓋４２の方向に移動可能に構成されている。また、係合解除部材５３は樹脂成型されていて、弾性を有する二つの腕部５３ａを有していて、腕部５３ａの先端がカメラ本体４１の内部側壁より突出した２個の停止部４１ｂに各々当接している。そして、通常は、図１１に示した係合解除部材５３の中央に空いた大きな孔の側壁５３ｂが、図９（Ｃ）の如く係合部５１の側壁５１ｃに当接している。
【００３６】
なお、腕部５３ａは係合解除部材５３と一体でなくてもよく、別個に設けた引っ張り用若しくは圧縮用のつる巻きバネやねじりコイルバネであってもよい。
【００３７】
以下に係合解除部材５３により係合を解除する過程を説明する。
図９（Ｃ）の如く係合した係合孔５２ａと係合部５１との係合を解除するためには、係合解除部材５３を裏蓋４２の側に移動して、係合解除部材５３に設けた２対の傾斜面５３ｃにより裏蓋係合部材５２の傾斜面５２ｂを押圧し、裏蓋係合部材５２を図９（Ｂ）の如き状態に撓ませればよい。しかし、図９（Ｃ）に示す如く、係合孔５２ａと係合部５１とが係合した状態では、係合解除部材５３の中央に設けた操作部５３ｄの先端部５３ｅが移動後に直ちに裏蓋係合部材５２の端部５２ｃ（停止部材）に当接してしまって、裏蓋係合部材５２を移動させることができない。
【００３８】
そこで、操作部５３ｄの中央に位置する操作つまみ５３ｆを図１２（Ａ）の如く押圧操作する。すると、操作部５３ｄの先端部５３ｅが下方（カメラ本体４１の内部側壁方向）に移動し、裏蓋係合部材５２の端部５２ｃより退避する。
【００３９】
このように操作つまみ５３ｆを図１２（Ａ）の如く押圧操作した状態で、更に裏蓋４２及び裏蓋係合部材５２の方向に摺動操作する。すると、係合解除部材５３の傾斜面５３ｃが裏蓋係合部材５２の傾斜面５２ｂを押圧するので、図１２（Ｂ）の如く係合部５１と係合孔５２ａの係合が解除され、裏蓋４２の内部にある図示していない圧板等の反力によって裏蓋４２はカメラ本体４１より自動的に開放する。なお、裏蓋４２の内部に裏蓋４２をカメラ本体４１より開放させる力を全く有していない場合は、裏蓋４２を開放方向に軽く引き出してやればよい。
【００４０】
裏蓋４２がカメラ本体４１より開放した後は、操作つまみ５３ｆから手を離せば、係合解除部材５３は腕部５３ａの付勢力によって原位置に復帰する。
【００４１】
なお、裏蓋係合部材５２の係合孔５２ａは、上記の機能を達成するならば必ずしも図の如く矩形の孔である必要はなく、また、貫通孔でなくてもよい。
【００４２】
更に、裏蓋係合部材５２の係合孔５２ａは必ずしも四方が囲まれた孔でなくてもよく、図１０の上方側若しくは下方側が開放された切り欠きであってもよい。
【００４３】
また、係合孔５２ａと係合部５１とが係合した状態において係合解除部材５３を移動させたとき、操作部５３ｄの先端部５３ｅが裏蓋係合部材５２の端部５２ｃに当接するのでなく、カメラ本体４１等に設けた別個の停止部材に当接するようにしてもよい。
【００４４】
その他に上述とは逆にして、係合部５１及び係合解除部材５３を裏蓋４２に配置すると共に裏蓋係合部材５２をカメラ本体４１に配置する構成にして裏蓋４２において操作つまみ５３ｆを操作するようにしてもよい。
【００４５】
以上の構成により、操作つまみ５３ｆを摺動操作して裏蓋４２を開放するときに、操作つまみ５３ｆを押圧しながら摺動させないと裏蓋４２が開放しないので、振動や衝撃によって裏蓋４２が簡単に開放してフィルムが露光されてしまうといったことが生ぜず、裏蓋４２がカメラ本体４１に対して確実にロックされる。特に、振動や衝撃が加わったときは、通常はその力が略一定の方向に及ぶので、操作つまみ５３ｆの押圧方向と摺動方向が９０度異なる本実施の形態においては、振動や衝撃が生じても容易にロックが解除されることがない。
【００４６】
【発明の効果】
本発明のカメラの裏蓋ロック機構によれば、振動や衝撃によって裏蓋が簡単に開放してフィルムが露光されてしまうといったことが生ぜず、裏蓋がカメラ本体に対して確実にロックされ、且つ裏蓋ロック機構が安価に構成されるという効果を奏する。
【図面の簡単な説明】
【図１】後方から見たカメラの斜視図である。
【図２】裏蓋係合機構の斜視図である。
【図３】係合部に係合孔を係合させる前の正面図である。
【図４】係合部に係合孔を係合さたときの正面図である。
【図５】係合部に係合孔を係合させる過程を示す横断面図である。
【図６】係合部と係合孔との係合を解除させるときの正面図である。
【図７】係合部と係合孔との係合を解除する過程を示す縦断面図である。
【図８】後方から見たカメラの斜視図である。
【図９】係合部に係合孔を係合させる過程を示す横断面図である。
【図１０】係合部に係合孔を係合させたときの正面図である。
【図１１】係合解除部材の斜視図である。
【図１２】係合解除部材により係合を解除する過程を示す横断面図である。
【符号の説明】
１１，４１  カメラ本体
１２，４２  裏蓋
２１  移動係合部材
２１ａ，５３ｆ  操作つまみ
２１ｃ  付勢部
２１ｄ，５１  係合部
２１ｄ１  第１傾斜面
２１ｄ２  頂部
２１ｄ３  第２傾斜面
２２，５２  裏蓋係合部材
２２ａ，５２ａ  係合孔
５２ｃ  端部
５３  係合解除部材
５３ａ  腕部
５３ｃ  傾斜面
５３ｄ  操作部
５３ｅ  先端部
【図１】
2004226606.tif 000003
【図２】
2004226606.tif 000004
【図３】
2004226606.tif 000005
【図４】
2004226606.tif 000006
【図５】
2004226606.tif 000007
【図６】
2004226606.tif 000008
【図７】
2004226606.tif 000009
【図８】
2004226606.tif 000010
【図９】
2004226606.tif 000011
【図１０】
2004226606.tif 000012
【図１１】
2004226606.tif 000013
【図１２】
2004226606.tif 000014